(57)【特許請求の範囲】
【請求項１】
縦部材（９，１４）内に上下動自在に設けられた落とし棒（４３，６９）と、前記縦部材（９，１４）に上下方向に形成された案内溝（６０）と、該案内溝（６０）を貫通する連結ピン（６１）を介して前記落とし棒（４３，６９）に連結され且つ前記縦部材（９，１４）の外側から前記落とし棒（４３，６９）を上下方向に操作する操作体（４４，７０）と、前記落とし棒（４３，６９）を上昇位置に保持する保持手段（４５，７１）とを備えた門扉の落とし棒装置において、前記保持手段（４５，７１）は前記上昇位置の前記落とし棒（４３，６９）の上方で前記縦部材（９，１４）に設けられた係合ピン（４８）と、下部側が筒状の前記落とし棒（４３，６９）内に挿入され且つ支軸（４９）により前記落とし棒（４３，６９）に揺動自在に枢支された係合具（５０）と、該係合具（５０）の上部側に設けられ、且つ前記係合具（５０）の揺動により、前記落とし棒（４３，６９）が前記上昇位置に上昇したときに前記係合ピン（４８）に係合し前記上昇位置から下降したときに前記係合ピン（４８）から離脱する係合部（５２）と、前記落とし棒（４３，６９）の内周と前記係合具（５０）の下端部との間に介在され且つ前記係合具（５０）を係合方向に付勢するバネ（５１）と、前記落とし棒（４３，６９）の上昇時に前記係合部（５２）が前記係合ピン（４８）に対して係合可能な姿勢に前記係合具（５０）を保持するストッパー（５３）とを備えたことを特徴とする門扉の落とし棒装置。
【請求項２】
前記係合具（５０）は前記係合ピン（４８）に係合する前記係合部（５２）と、該係合部（５２）の上下両側に設けられ且つ前記落とし棒（４３，６９）の上下動時に該係合具（５０）を前記係合ピン（４８）に対して係脱方向に案内する案内部（５６，５７）とを有することを特徴とする請求項１に記載の門扉の落とし棒装置。
【請求項３】
前記支軸（４９）は前記係合ピン（４８）と略平行であり、該支軸（４９）よりも下側で前記落とし棒（４３，６９）内に前記バネ（５１）を設けたことを特徴とする請求項１又は２に記載の門扉の落とし棒装置。
【請求項４】
前記ストッパー（５３）は落とし棒（４３，６９）の上端に上側から当接することを特徴とする請求項１〜３の何れかに記載の門扉の落とし棒装置。
【請求項５】
前記操作体（４４）は前記縦部材（９）の外周に上下動自在に套嵌されていることを特徴とする請求項１〜４の何れかに記載の門扉の落とし棒装置。
【請求項６】
前記縦部材（９，１４）内に前記落とし棒（４３，６９）を上下動自在に保持する保持枠（６８）を固定し、該保持枠（６８）に前記係合ピン（４８）を設け、前記縦部材（９，１４）及び前記保持枠（６８）を貫通して前記落とし棒（４３，６９）と前記縦部材（９，１４）の外側の前記操作体（４４，７０）とを連結する前記連結ピン（６１）を設けたことを特徴とする請求項１〜５の何れかに記載の門扉の落とし棒装置。
【発明の詳細な説明】
【技術分野】
【０００１】
本発明は、門扉の落とし棒装置に関するものである。
【背景技術】
【０００２】
伸縮門扉、折り畳み式門扉、観音開き式門扉等の各種門扉では、その扉体を開状態、閉状態等で地面側にロックするために、従来から落とし棒装置が広く採用されている。この落とし棒装置は、従来、扉体の縦部材内に落とし棒を上下動自在に設けると共に、落とし棒の上端側に摘まみ棒を設け、縦部材に落とし棒の上下方向の動き量に相当する案内溝と、案内溝の上端から横方向に凹入し落とし棒の上昇位置で摘まみ棒を係合する係合凹部とを逆Ｌ字状に形成し、摘まみ棒の先端の摘まみ部を把持して、落とし棒の上昇位置で摘まみ棒を係合凹部に対して係脱し、また案内溝に沿って落とし棒を上下方向に操作するようにしている（特許文献１）。
【特許文献１】特開平９−２１７５７３号公報
【発明の開示】
【発明が解決しようとする課題】
【０００３】
従来の落とし棒装置では、落とし棒を落とし孔に対して係脱する際に、落とし棒を上下動させる操作の他に、落とし棒を係合凹部に対して係脱する落とし棒廻りの係脱操作が必要である。このため落とし棒の操作が煩わしくなり、また落とし棒を上昇させたが、係合凹部に対する摘まみ棒の係合不良により落とし棒が落下する等の惧れがあった。
【０００４】
本発明は、このような従来の問題点に鑑み、操作を簡単にできると共に、落とし棒を上昇位置で確実に保持できる門扉の落とし棒装置を提供することを目的とする。
【課題を解決するための手段】
【０００５】
本発明は、縦部材９，１４内に上下動自在に設けられた落とし棒４３，６９と、前記縦部材９，１４に上下方向に形成された案内溝６０と、該案内溝６０を貫通する連結ピン６１を介して前記落とし棒４３，６９に連結され且つ前記縦部材９，１４の外側から前記落とし棒４３，６９を上下方向に操作する操作体４４，７０と、前記落とし棒４３，６９を上昇位置に保持する保持手段４５，７１とを備えた門扉の落とし棒装置において、前記保持手段４５，７１は前記上昇位置の前記落とし棒４３，６９の上方で前記縦部材９，１４に設けられた係合ピン４８と、下部側が筒状の前記落とし棒４３，６９内に挿入され且つ支軸４９により前記落とし棒４３，６９に揺動自在に枢支された係合具５０と、該係合具５０の上部側に設けられ、且つ前記係合具５０の揺動により、前記落とし棒４３，６９が前記上昇位置に上昇したときに前記係合ピン４８に係合し前記上昇位置から下降したときに前記係合ピン４８から離脱する係合部５２と、前記落とし棒４３，６９の内周と前記係合具５０の下端部との間に介在され且つ前記係合具５０を係合方向に付勢するバネ５１と、前記落とし棒４３，６９の上昇時に前記係合部５２が前記係合ピン４８に対して係合可能な姿勢に前記係合具５０を保持するストッパー５３とを備えたものである。
【０００６】
前記係合具５０は前記係合ピン４８に係合する係合部５２と、該係合部５２の上下両側に設けられ且つ前記落とし棒４３，６９の上下動時に該係合具５０を前記係合ピン４８に対して係脱方向に案内する案内部５６，５７とを有するものでもよい。
【０００７】
前記支軸４９は前記係合ピン４８と略平行であり、該支軸４９よりも下側で前記落とし棒４３，６９内に前記バネ５１を設けてもよい。前記ストッパー５３は落とし棒４３，６９の上端に上側から当接するようにしてもよい。
【０００８】
前記操作体４４は前記縦部材９の外周に上下動自在に套嵌されていてもよい。前記縦部材９，１４内に前記落とし棒４３，６９を上下動自在に保持する保持枠６８を固定し、該保持枠６８に前記係合ピン４８を設け、前記縦部材９，１４及び前記保持枠６８を貫通して前記落とし棒４３，６９と前記縦部材９，１４の外側の前記操作体４４，７０とを連結する前記連結ピン６１を設けてもよい。
【発明の効果】
【０００９】
本発明では、操作を簡単にできると共に、落とし棒を上昇位置で確実に保持できる利点がある。
【発明を実施するための最良の形態】
【００１０】
以下、本発明の実施例を図面に基づいて詳述する。図１〜図１５は水平パンタグラフ式の伸縮門扉に採用した本発明の第１の実施例を例示する。
【００１１】
この伸縮門扉は、図１（Ａ）〜（Ｃ）に示すように、出入口１の左右両側で地面２上に立設された吊り元支柱３及び戸当たり支柱４と、吊り元支柱３及び戸当たり支柱４間に左右方向に伸縮自在に配置され且つ出入口１を開閉する扉体５とを有する。戸当たり支柱４には、上下一対の連結部材６を介して施錠受け枠７が固定的に連結されている。
【００１２】
扉体５は左右方向に伸縮自在に構成された上下一対の水平パンタグラフ機構８と、この両パンタグラフ機構８の中間部分を上下に連結する左右方向に複数本の連結桟９，１０と、両パンタグラフ機構８の両端部分を上下に連結する連結枠１１とを備えている。
【００１３】
なお、扉体５は吊り元側の連結枠１１が上下方向のヒンジ１２、連結部材１３を介して吊り元支柱３に回動自在に連結され、図１（Ａ）（Ｂ）に二点鎖線で示す収縮状態（開状態）と、図１（Ａ）（Ｂ）に実線で示す伸長状態（閉状態）との間で伸縮自在であり、また収縮状態でヒンジ１２廻りに回転収納可能である。
【００１４】
扉体５の戸当たり側の連結枠１１には、施錠受け枠７に当接して施錠される施錠端枠１４が固定されている。施錠端枠１４には、施錠受け枠７の施錠受け具に対応する施錠掛け具を有する施錠装置（図示省略）と端部落とし棒装置１５とが上下に組み込まれ、また前後両側に開閉操作用の把手１６が設けられている。扉体５の左右方向の略中央部には中間落とし棒装置１７が設けられ、また扉体５の略中央部及び戸当たり端側に、地面２上を走行する走行車輪１８が設けられている。
【００１５】
パンタグラフ機構８は、図２（Ａ）（Ｂ）に示すように、平面視Ｘ字状に交差して配置された左右方向に複数組の一対の中間リンク部材１９と、両端に八の字状に配置された一対の端部リンク部材２０とを有し、連結桟９，１０、枢軸２１を介して縦軸心廻りに水平方向に屈伸しながら伸縮自在である。一対の中間リンク部材１９は略中央の交差部で連結桟９により相対回動自在に連結され、また左右方向に隣り合う各組の中間リンク部材１９は先端部で連結桟１０により相対回動自在に連結されている。
【００１６】
一対の端部リンク部材２０は、その内端側が対応する端部側の中間リンク部材１９の先端部に連結桟１０により相対回動自在に連結され、また外端側の円筒部２２が前後に近接して配置された連結枠１１の上下両端の枢軸２１に相対回動自在に套嵌されて連結されている。
【００１７】
連結枠１１は一対のパンタグラフ機構８を端部側で上下方向に連結するもので、上下の両パンタグラフ機構８間で上下方向に配置され、その上下両端に前後一対の枢軸２１が固定されている。前後の枢軸２１は円筒部２２の上下両側で連結板２３により連結されている。
【００１８】
施錠端枠１４は図３、図４に示すように矩形筒状であって、一対のコ字状の半割り材２４を結合して中空状に構成されている。半割り材２４はコ字状の開放端側に内重なり部２５と外重なり部２６とを有し、その両者の内重なり部２５と外重なり部２６とを重合させて、重なり部２５，２６がネジ結合されている。
【００１９】
連結枠１１と施錠端枠１４は、図３、図４に示すように、両者の相対向する側壁２７，２８同士を当接して、連結枠１１の上下方向に複数個の締結ユニット２９と、下端部の係合手段３０とにより固定されている。締結ユニット２９は連結枠１１の上端部で上側のパンタグラフ機構８の近傍位置と、これから下方に所定間隔離れた略中央部、例えば把手１６と端部落とし棒装置１５との間等の中間位置とに設けられており、係合手段３０は連結枠１１の下端部で下側のパンタグラフ機構８の近傍位置に設けられている。
【００２０】
施錠端枠１４の側壁２８には前後両端に突部３１が上下方向の略全長に設けられ、この突部３１間に連結枠１１が嵌合している。連結枠１１の側壁２７には、その前後の枢軸２１間で施錠端枠１４の重なり部２５，２６の前後両側に対応する前後一対の突部３２と、この突部３２間を連絡する連絡壁３３とが上下方向の略全長に形成され、連結枠１１の内部側に連絡壁３３に対応して上下方向の凹入溝３４が形成されている。
【００２１】
各締結ユニット２９は、凹入溝３４内の当て板３５と、重なり部２５，２６を貫通して当て板３５に螺合する上下２本の締結ネジ３６とを有し、両側壁２７，２８を締結するようになっている。係合手段３０は、施錠端枠１４の側壁２８等に形成された係合孔３７と、連結枠１１の側壁２７に固定された係合片３８とを有し、係合片３８が係合孔３７の上縁に係合するようになっている。なお、施錠端枠１４の上下両端側にはキャップ３９が嵌着され、重なり部２５，２６に挿通されたネジ４０により固定されている。
【００２２】
中間落とし棒装置１７は扉体５を伸長状態にしたときにその中間部分の前後移動を規制するためのもので、図５〜図１１にも示すように、一対の中間リンク部材１９の交差部の連結桟（縦部材）９内に上下動自在に挿入された落とし棒４３と、連結桟９の外周に上下動自在に套嵌され且つ落とし棒４３を上下方向に操作する操作筒（操作体）４４と、落とし棒４３を上昇位置（図５（Ａ）の位置）で係脱自在に保持する保持手段４５とを備え、落とし棒４３の下端部が地面２側の落とし孔４６等に係脱するようになっている。
【００２３】
連結桟９は上下のパンタグラフ機構８に跨がる長さの円筒体により構成され、その内周には周方向に略等間隔をおいて３個以上、例えば４個のリブ４７が上下方向の略全長に設けられている。落とし棒４３、操作筒４４は円筒体により構成され、連結桟９の内外周に略同心状に設けられている。
【００２４】
落とし棒４３は連結桟９のリブ４７により上下方向に摺動自在に支持案内され、下端部が地面２の落とし孔４６等に係合する下降位置（図５（Ｂ）の位置）と、落とし孔４６等から上方に外れた上昇位置との間で上下動自在である。なお、落とし棒４３は上昇位置でもその下端が連結桟９から若干下側に突出している。
【００２５】
保持手段４５は、上昇位置の落とし棒４３の上方近傍で連結桟９に略直径方向に貫通して固定された係合ピン（係合体）４８と、上下方向の中間部が落とし棒４３内で係合ピン４８と略平行な支軸４９により係合ピン４８に対して係脱方向に揺動自在に枢支された係合具５０と、この係合具５０を係合方向に付勢するバネ５１とを備えている。
【００２６】
係合具５０は縦長状であって、下側の略半分が落とし棒４３の上部側に挿入され、上下方向の略中央が支軸４９により落とし棒４３に枢支されている。係合具５０にはその上端部に係合部５２が、中間にストッパー５３が、下端部にバネ支持部５４が夫々設けられている。なお、支軸４９には係合具５０の両側にリング状のスペーサ５５が套嵌されている。
【００２７】
係合部５２の上下両側には、落とし棒４３の上下動時に係合ピン４８に案内されて係合具５０をバネ５１に抗して係脱方向に揺動させる案内部５６，５７が傾斜状に形成されており、上下両側の案内部５６，５７を含む係合部５２は略三角形又は台形状になっている。
【００２８】
ストッパー５３は係合部５２が係合ピン４８から離脱したときに落とし棒４３の上端に当接して、落とし棒４３の上昇時に案内部５６が係合ピン４８に接触して係合部５２が係合ピン４８に係合可能な姿勢に係合具５０を保持するためのものである。バネ支持部５４は係合具５０にＬ字状に屈曲して形成され、このバネ支持部５４に落とし棒４３の内周と係合具５０との間に介在されたバネ５１が套嵌されている。
【００２９】
操作筒４４は落とし棒４３の通孔５９、連結桟９の案内溝６０を略直径方向に貫通する連結ピン６１を介して落とし棒４３に連結されており、この操作筒４４により落とし棒４３を上下方向に操作可能である。
【００３０】
連結ピン６１は上下方向の略中央又はその近傍で操作筒４４に固定されており、操作筒４４は上昇位置と下降位置との何れの場合にも、案内溝６０を覆い得る長さを連結ピン６１の上下両側に有する。案内溝６０は少なくとも落とし棒４３の上昇位置と下降位置との範囲にわたって上下方向に形成されている。
【００３１】
なお、操作筒４４の上下両端部には、その上下動時に連結桟９の表面の損傷を防止し、また操作時の怪我等を防止するように、その端面から内周側に跨がって合成樹脂製等の摺動筒６２が嵌合されている。
【００３２】
係合ピン４８、支軸４９、連結ピン６１はスプリングピン等により構成され、連結桟９，１０、落とし棒４３、操作筒４４の外側から両端に打ち込まれたブラインドリベット等のリベット６３〜６５により固定されている。また係合ピン４８、支軸４９、連結ピン６１は前後方向に略平行に設けられている。なお、連結ピン６１は係合ピン４８、支軸４９と略平行である必要はない。
【００３３】
端部落とし棒装置１５は扉体５を伸長状態にしたとき、収縮状態にしたとき、又は回転収納したときに施錠端枠１４の前後移動を規制するためのもので、図４、図１２〜図１５にも示すように、施錠端枠１４内の下部に固定された保持枠６８と、この保持枠６８内に上下方向に摺動自在に挿入された落とし棒６９と、落とし棒６９を上下方向に操作する操作摘まみ（操作体）７０と、落とし棒６９を上昇位置で係脱自在に保持する係合式の保持手段７１とを備え、落とし棒６９が地面２側の落とし孔７２等に係脱するようになっている。
【００３４】
保持枠６８は矩形筒状で、施錠端枠１４の左右の重なり部２５，２６に内側から嵌合する凹部７３が左右両側に形成され、上下両端側で重なり部２５，２６に挿通されたネジ７４により施錠端枠１４に固定されている。
【００３５】
保持枠６８には、落とし棒６９を上下方向に摺動自在に保持する棒案内部７５が内側に設けられている。この棒案内部７５は保持枠６８の前後両側の側壁７６の略中央部に外側へと円弧状に湾曲して形成された凹部７７と、この凹部７７の左右両側で内側に突出して形成されたリブ７８とを有する。なお、凹部７７、リブ７８は保持枠６８の上下方向の略全長にわたって設けられている。
【００３６】
落とし棒６９は保持枠６８のリブ７８により上下方向に摺動自在に支持案内され、下端部が地面２の落とし孔７２に係合する下降位置と、落とし孔７２から上方に外れた上昇位置との間で上下動自在である。なお、落とし棒６９は円筒体により構成されている。
【００３７】
保持手段７１は中間落とし棒装置１７の保持手段４５と略同様の構成であり、同一名称部には同一符号を付して、その説明を簡略化する。即ち、保持手段７１は上昇位置の落とし棒６９の上方近傍で保持枠６８に前後方向に貫通して固定された係合ピン（係合体）４８と、上下方向の中間部が落とし棒６９内で係合ピン４８と略平行な支軸４９により係合ピン４８に対して係脱方向に揺動自在に枢支された係合具５０と、この係合具５０を係合方向に付勢するバネ５１とを備えている。
【００３８】
係合具５０は下側の略半分が落とし棒６９の上部側に挿入され、上下方向の略中央が支軸４９により落とし棒６９に枢支されている。係合具５０にはその上端部に係合部５２が、中間にストッパー５３が、下端部にバネ支持部５４が夫々設けられ、また係合部５２の上下両側に案内部５６，５７が傾斜状に設けられている。
【００３９】
操作摘まみ７０は施錠端枠１４の前後両側に近接して配置され、落とし棒６９の通孔５９、保持枠６８の案内溝６０、施錠端枠１４の前後両側の案内板７９を前後方向に貫通して外側に突出する連結ピン６１の前後両側に固定されている。案内板７９には案内溝６０に対応して上下方向の長孔８０が形成されている。案内板７９は施錠端枠１４の前後にネジ８１等で固定されている。なお、落とし棒６９は下側のキャップ３９を上下動自在に貫通している。
【００４０】
上記構成の伸縮門扉において、出入口１を閉じる場合には、扉体５を伸ばして施錠端枠１４を施錠受け枠７に当接し施錠する。このとき各パンタグラフ機構８では、その前後一対の端部リンク部材２０の先端部を連結枠１１側の前後の枢軸２１に連結し、その連結枠１１に施錠端枠１４を固定しているため、施錠端枠１４をパンタグラフ機構８に対して所定の角度に保持できる。従って、施錠端枠１４を施錠受け枠７に合わせて行けば、両者の対向端面を容易且つ確実に当接させることができる。そして、中間落とし棒装置１７、端部落とし棒装置１５の落とし棒４３，６９を地面２側の落とし孔４６，７２に落とし込んで扉体５をロックする。
【００４１】
端部落とし棒装置１５について例示するように、各落とし棒装置１５，１７は次のように操作する。例えば、落とし棒６９を上昇させた状態では、図１３に示すように係合具５０の係合部５２が係合ピン４８に係合することにより、落とし棒６９は上昇位置に保持されている。
【００４２】
落とし棒６９を落とし孔７２に落とし込む場合には、操作摘まみ７０を把持して施錠端枠１４に沿って下方へと押し下げる。すると係合部５２の下側の案内部５７が係合ピン４８に対して摺動し、係合具５０がバネ５１に抗して支軸４９廻りに離脱方向へと図１３のａ矢示方向に回動するため、係合部５２が係合ピン４８から離脱して下方へと通過する。従って、そのまま操作摘まみ７０を下方へと操作して落とし棒６９の下端部を地面２側の落とし孔７２に落とし込めばよい。
【００４３】
係合ピン４８から離脱した係合具５０は、そのストッパー５３が落とし棒６９の上端に当接した状態にある。そこで、落とし棒６９を落とし孔７２から抜いてロックを解除する場合には、操作摘まみ７０を把持して保持枠６８に沿って上昇させる。すると連結ピン６１が案内溝６０によって案内されるため、係合具５０を所定の姿勢に維持したままで操作摘まみ７０、落とし棒６９が一体に上昇し、落とし棒６９が落とし孔７２から抜ける。
【００４４】
操作摘まみ７０を上昇位置の近傍まで上昇させると、係合部５２の上側の案内部５６が係合ピン４８に対して摺動し、係合具５０がバネ５１に抗して支軸４９廻りにａ矢示方向に回動する。そして、係合部５２が係合ピン４８を通過すると、係合具５０がバネ５１で戻り係合部５２が係合ピン４８に係合し、これによって落とし棒６９、操作摘まみ７０を上昇位置に保持することができる。
【００４５】
従って、中間落とし棒装置１７、端部落とし棒装置１５の何れの場合でも、その操作筒４４、操作摘まみ７０を案内溝６０に沿って上下方向に直線的に操作することにより保持手段４５，７１の係合ピン４８と係合具５０とを係脱操作することが可能であり、操作筒４４、操作摘まみ７０等の操作体により落とし棒４３，６９を容易に操作することができる。また操作筒４４、操作摘まみ７０等の操作体を上昇位置まで上昇させる限り、係合具５０が係合ピン４８に係合して落とし棒４３，６９を上昇位置に確実に保持できるため、従来のように上昇位置での係合不良等により落とし棒４３，６９が落下する等の惧れも生じない。
【００４６】
保持手段４５，７１は、落とし棒４３，６９の上側で連結桟９、保持枠６８に設けられた係合ピン４８と、下部が落とし棒４３，６９内に挿入され且つ係合ピン４８と略平行な支軸４９により落とし棒４３，６９に係合ピン４８に対して係脱方向に揺動自在に枢支された係合具５０と、支軸４９よりも下側で落とし棒４３，６９内に設けられ且つ係合具５０を係合方向に付勢するバネ５１とを備え、しかも係合具５０は係合部５２の上下両側に、落とし棒４３，６９の上下動時に係合具５０を係合ピン４８に対して係脱方向に案内する案内部５６，５７を有するため、簡単な構造で落とし棒４３，６９を上昇位置で係脱自在に確実に保持でき、また落とし棒４３，６９と共に保持手段４５，７１をコンパクトに構成できる。
【００４７】
特に中間落とし棒装置１７の場合には、連結桟９の外周に套嵌された円筒状の操作筒４４により、連結桟９内の落とし棒４３を操作するように構成し、しかもその操作筒４４は上昇位置、下降位置の何れにある場合にも連結桟９の案内溝６０を覆う長さとしているため、従来の摘まみ棒等に比較して見栄えが良くなり扉体５の意匠性が一段と向上する。また何等かのものが操作筒４４に接触しても、それが操作筒４４に引っ掛かったり、操作筒４４が回転する等の惧れも生じ難くなる。
【００４８】
端部落とし棒装置１５は、連結桟９等に比して大型の施錠端枠１４内に組み込んでいるが、施錠端枠１４内に断面矩形状の保持枠６８を設け、これに落とし棒６９、係合ピン４８等を設けているため、施錠端枠１４内で落とし棒６９等を確実に支持できると同時に、施錠端枠１４に比して比較的小さい連結桟９に設ける中間落とし棒装置１７側との部品の共通化も容易に図ることができる。
【００４９】
更に保持枠６８に落とし棒６９、係合ピン４８等を設けているため、組み立てに際しての作業も容易にできる。しかも各落とし棒装置１５，１７では係合具５０、バネ５１等を落とし棒４３，６９側に組み込み、係合ピン４８を連結桟９、保持枠６８に設けているため、連結桟９、施錠端枠１４に対する各落とし棒装置１５，１７の組み込みも容易にできる。
【００５０】
図１６、図１７は本発明の第２の実施例を例示する。この中間落とし棒装置１７では、係合ピン４８が落とし棒４３の上端部に設けられ、支軸４９、係合具５０、バネ５１が連結桟９側に設けられている。係合具５０は上下逆向きであり、この係合具５０の下端側の係合部５２に対応して、落とし棒６９の上端部に切り欠き部８２が設けられている。また連結桟９には、係合具５０等に対応して組み込み用の開口８３が形成されている。なお、ストッパー５３は連結桟９の内周に当接するようになっている。
【００５１】
このように落とし棒装置１５，１７において、保持手段７１を構成する係合ピン４８、係合具５０等は、落とし棒４３，６９と連結桟９又は保持枠６８との何れかの反対側に夫々設ければ良い。また連結桟９に組み込み用の開口８３を設けても、操作筒４４で塞ぐことができるため、連結桟９，１０の長手方向の中間部分に保持手段４５を配置する場合でも、その組み込みを容易に行うことができる。
【００５２】
図１８、図１９は本発明の第３の実施例を例示する。この端部落とし棒装置１５では、係合ピン４８が保持枠６８に設けられ、落とし棒６９側の係合具５０が板バネ等の帯状の弾性体により構成されている。
【００５３】
係合具５０には落とし棒６９から上側に突出する上端側に係合部５２、案内部５６，５７が設けられ、中間部から下側が落とし棒６９内に挿入されている。そして、係合具５０の中間の挿入部分に連結ピン６１に対する取り付け部８５が設けられ、また下端側に落とし棒６９内に弾発的に嵌合するＵ字状の弾発部８６が設けられている。従って、係合具５０は連結ピン６１と弾発部８６とによって落とし棒６９に固定されている。
【００５４】
このように係合具５０を弾性体により構成し、その下部側を落とし棒６９に固定した場合でも、上側に係合部５２、案内部５６，５７を設けておくことにより、操作摘まみ７０を上下方向に直線的に操作して係合部５２を係合ピン４８に対して係脱することができる。なお、係合ピン４８を落とし棒６９側に、係合具５０を保持枠６８側に夫々設けてもよい。
【００５５】
以上、本発明の実施例について詳述したが、この実施例に限定されるものではなく、本発明の趣旨を逸脱しない範囲で種々の変更が可能である。例えば、各実施例では、伸縮門扉の端部落とし棒装置１５、中間落とし棒装置１７を例示しているが、これら以外の落とし棒装置でも同様に採用可能であるし、水平リンク式以外の伸縮門扉は勿論のこと、伸縮門扉以外の各種の門扉の落とし棒装置にも採用可能である。
【００５６】
縦部材として円筒状の連結桟９、角筒状の施錠端枠１４を例示し、また操作体として操作筒４４、操作摘まみ７０を例示しているが、縦部材はその内部に直接的又は間接的に落とし棒４３，６９を上下動自在に挿入できる形状であれば十分であり、また操作体は縦部材の外側から落とし棒４３，６９を上下方向に操作できる構造であれば十分である。
【００５７】
保持手段４５，７１の係合体として係合ピン４８を例示しているが、係合体は係合具５０が係脱自在に係合できるものであればよく、係合ピン４８以外の突起等を利用してもよいし、保持枠６８の一部を切り起こす等によって一体に設けてもよい。係合具５０は係合部５２、案内部５６，５７等を備えたものであればよい。またバネ５１は圧縮バネの他、引っ張りバネ、つる巻きバネ等を使用してもよい。
【図面の簡単な説明】
【００５８】
【図１】本発明の第１の実施例を示し、（Ａ）は伸縮門扉の平面図、（Ｂ）はその正面図、（Ｃ）はその側面図である。
【図２】（Ａ）は扉体の要部の拡大平面図、（Ｂ）はその正面図である。
【図３】同連結枠と施錠端枠との結合部の正面断面図である。
【図４】同連結枠と施錠端枠との結合部の拡大平面断面図である。
【図５】（Ａ）は同中間落とし棒装置の上昇状態の一部破断正面図、（Ｂ）は下降状態の一部破断正面図である。
【図６】同保持手段の拡大正面断面図である。
【図７】同保持手段の拡大側面断面図である。
【図８】図６のｂ−ｂ線断面図である。
【図９】図６のｃ−ｃ線断面図である。
【図１０】図６のｄ−ｄ線断面図である。
【図１１】図６のｅ−ｅ線断面図である。
【図１２】同端部落とし棒装置の正面断面図である。
【図１３】同保持手段の正面断面図である。
【図１４】同保持手段の側面断面図である。
【図１５】図１３のｆ−ｆ線拡大断面図である。
【図１６】本発明の第２の実施例を示す保持手段の正面断面図である。
【図１７】同保持手段の平面断面図である。
【図１８】本発明の第３の実施例を示す端部落とし棒装置の正面断面図である。
【図１９】同端部落とし棒装置の側平面断面図である。
【符号の説明】
【００５９】
９  連結桟（縦部材）
１４  施錠端枠（縦部材）
４３，６９  落とし棒
４４  操作筒（操作体）
４８  係合ピン（係合体）
４９  支軸
５０  係合具
５１  バネ
５２  係合部
５３  ストッパー
５６，５７  案内部
６１  連結ピン
６８  保持枠
７０  操作摘まみ（操作体）
７１  保持手段
【図１】
0005341338.tif 000002
【図２】
0005341338.tif 000003
【図３】
0005341338.tif 000004
【図４】
0005341338.tif 000005
【図５】
0005341338.tif 000006
【図６】
0005341338.tif 000007
【図７】
0005341338.tif 000008
【図８】
0005341338.tif 000009
【図９】
0005341338.tif 000010
【図１０】
0005341338.tif 000011
【図１１】
0005341338.tif 000012
【図１２】
0005341338.tif 000013
【図１３】
0005341338.tif 000014
【図１４】
0005341338.tif 000015
【図１５】
0005341338.tif 000016
【図１６】
0005341338.tif 000017
【図１７】
0005341338.tif 000018
【図１８】
0005341338.tif 000019
【図１９】
0005341338.tif 000020